(57)【要約】【課題】本発明の目的は、ループを構成する装置の特定が可能なループ検出システム、ループ検出方法、中継装置及び中継方法を提供することにある。【解決手段】本願発明のループ検出システムは、複数の送受信ポートを有する装置を接続して構成されたＬ２ネットワーク１０１の端に接続され、ループ検知に用いる特定のビット列を含んだループ検知用フレームを互いに送信する複数のエッジ装置１０２１，１０２２と、通信ネットワークのうちのエッジ装置の間に接続され、ループ検知用フレームを受信し、ループ検知用フレームを受信した送受信ポートのポートＩＤ及びループ検知用フレームの送信エッジ装置ＩＤを識別して記録し、ループ検知用フレームを受信した送受信ポートとは異なる送受信ポートからループ検知用フレームを送信する中継装置１０３１，１０３２，１０３３，１０３４，１０３５，１０３６と、を備える。【選択図】図１
2011139139.tif 000002
【特許請求の範囲】
【請求項１】
複数の送受信ポートを有する装置を接続して構成された通信ネットワークの端に接続され、ループ検知に用いる特定のビット列を含んだループ検知用フレームを互いに送信する複数のエッジ装置と、
前記通信ネットワークのうちの前記エッジ装置の間に接続され、前記ループ検知用フレームを受信し、前記ループ検知用フレームを受信した送受信ポートのポートＩＤ（ｉｄｅｎｔｉｆｉｃａｔｉｏｎ）及び前記ループ検知用フレームを送信した前記エッジ装置の送信エッジ装置ＩＤを識別して互いに関連付けて記録し、前記ループ検知用フレームを受信した送受信ポートとは異なる送受信ポートから前記ループ検知用フレームを送信する中継装置と、
を備えるループ検出システム。
【請求項２】
前記中継装置は、記録した前記ポートＩＤ及び前記送信エッジ装置ＩＤのうちの複数の前記ポートＩＤと関連付けて記録されている前記送信エッジ装置ＩＤが複数であるか否かを判定する
ことを特徴とする請求項１に記載のループ検出システム。
【請求項３】
前記複数であると判定した前記中継装置のうちの１つの前記中継装置が有する送受信ポートでありかつ同一の送信エッジ装置ＩＤと関連付けて記録されている前記ポートＩＤを有する送受信ポートのいずれかについて、送受信を制限することを特徴とする請求項２に記載のループ検出システム。
【請求項４】
複数の送受信ポートを有する装置を接続して構成された通信ネットワークの端に接続された複数のエッジ装置から、ループ検知に用いる特定のビット列を含んだループ検知用フレームを前記通信ネットワークの複数のエッジ装置に向けて送信する送信手順と、
前記通信ネットワークのうちの前記エッジ装置の間に接続された中継装置で前記ループ検知用フレームを受信し、前記ループ検知用フレームを受信した送受信ポートのポートＩＤ及び前記ループ検知用フレームを送信した前記エッジ装置の送信エッジ装置ＩＤを識別して互いに関連付けて前記中継装置ごとに記録し、前記ループ検知用フレームを受信した送受信ポートとは異なる送受信ポートから前記ループ検知用フレームを送信する中継手順と、
を順に有するループ検出方法。
【請求項５】
前記中継手順で記録した前記ポートＩＤ及び前記送信エッジ装置ＩＤのうちの複数の前記ポートＩＤと関連付けて記録されている前記送信エッジ装置ＩＤが複数であった前記中継装置を特定する特定手順を、前記中継手順の後にさらに有する
ことを特徴とする請求項４に記載のループ検出方法。
【請求項６】
前記特定手順において特定した前記中継装置のうちの１つの前記中継装置が有する送受信ポートでありかつ同一の送信エッジ装置ＩＤと関連付けて記録されている前記ポートＩＤを有する送受信ポートのいずれかについて、送受信を制限するループ解消手順を、前記特定手順の後にさらに有する
ことを特徴とする請求項５に記載のループ検出方法。
【請求項７】
ループ検知に用いる特定のビット列を含んだループ検知用フレームを受信する中継装置受信部と、
前記ループ検知用フレームを受信した送受信ポートのポートＩＤ及び前記ループ検知用フレームを送信したエッジ装置の送信エッジ装置ＩＤを識別して互いに関連付けて記録する記録部と、
前記中継装置受信部の受信する前記ループ検知用フレームを、前記ループ検知用フレームを受信した送受信ポートとは異なる送受信ポートから送信する中継装置送信部と、
を備える中継装置。
【請求項８】
前記記録部に記録した前記ポートＩＤ及び前記送信エッジ装置ＩＤのうちの複数の前記ポートＩＤと関連付けて記録されている前記送信エッジ装置ＩＤが複数であるか否かを判定するループ構成装置判断部と、
前記ループ構成装置判断部が前記複数であると判定した場合、ループを構成している旨を出力するループ構成情報出力部と、
さらに備えることを特徴とする請求項７に記載の中継装置。
【請求項９】
前記記録部に記録した前記ポートＩＤ及び前記送信エッジ装置ＩＤのうちの複数の前記ポートＩＤと関連付けて記録されている前記送信エッジ装置ＩＤと関連付けて記録されている前記ポートＩＤを有する送受信ポートのいずれかについて、送受信を制限するポート制御部をさらに備える
ことを特徴とする請求項８に記載の中継装置。
【請求項１０】
複数の送受信ポートを有する装置を接続して構成された通信ネットワークの端に接続された複数のエッジ装置から、ループ検知に用いる特定のビット列を含んだループ検知用フレームを受信するループ検知用フレーム受信手順と、
前記ループ検知用フレームを受信した送受信ポートのポートＩＤ及び前記ループ検知用フレームを送信した前記エッジ装置の送信エッジ装置ＩＤを識別して互いに関連付けて記録するとともに、受信した前記ループ検知用フレームを、前記ループ検知用フレームを受信した送受信ポートとは異なる送受信ポートから送信するループ検知用フレーム転送手順と、
を順に有する中継方法。
【請求項１１】
前記ループ検知用フレーム転送手順で記録した前記ポートＩＤ及び前記送信エッジ装置ＩＤのうちの複数の前記ポートＩＤと関連付けて記録されている前記送信エッジ装置ＩＤが複数であるか否かを判定し、前記送信エッジ装置ＩＤが複数であると判定した場合、ループを構成している旨を出力するループ構成情報出力手順を、前記ループ検知用フレーム転送手順の後にさらに有する
ことを特徴とする請求項１０に記載の中継方法。
【請求項１２】
前記ループ検知用フレーム転送手順において記録した前記ポートＩＤ及び前記送信エッジ装置ＩＤのうちの複数の前記ポートＩＤと関連付けて記録されている前記送信エッジ装置ＩＤと関連付けて記録されている前記ポートＩＤを有する送受信ポートのいずれかについて、送受信を制限するループ解消手順を、前記ループ構成情報出力手順の後にさらに有する
ことを特徴とする請求項１１に記載の中継方法。
【発明の詳細な説明】
【技術分野】
【０００１】
本発明は、ループ検出システム及びループ検出方法に関し、特にループを構成する装置を特定するためのループ検出システム及びループ検出方法に関する。
【背景技術】
【０００２】
Ｌ２ネットワークにおいては、各装置を結ぶ物理結線をループ状に行った場合や、装置に対する論理パスの誤設定、ＳＴＰ（Ｓｐａｎｉｎｉｎｇ  Ｔｒｅｅ  Ｐｒｏｔｏｃｏｌ）などのリングプロトコルの動作異常などにより、フレームがループ状に周回する場合がある。フレームがループ状に周回すると、ネットワークの帯域を圧迫するため、正常な通信を阻害する障害が発生する。そこで、フレームがループ状に周回したか否かを判定するためのループ検出方法が提案されている（例えば、特許文献１参照。）。
【０００３】
特許文献１のループ検出方法は、Ｌ２ネットワークの接続点にあるブリッジ装置からループ検知用のフレームを送信し、そのフレームを送信したブリッジ装置のいずれかのポートで受信した場合、ループが発生していると判断する。
【先行技術文献】
【特許文献】
【０００４】
【特許文献１】特許第４３４１９１８号公報
【発明の概要】
【発明が解決しようとする課題】
【０００５】
特許文献１のループ検出方法は、自己の送信したフレームを受信したことをもってループが発生していると判定するため、Ｌ２ネットワーク上でのループを構成するノードを把握することができなかった。このため、フレームがループ状に周回する根本的な原因を追及することができない問題があった。
【０００６】
フレームがループ状に周回することを防ぐために、通信ネットワーク上のブロードキャストの帯域をあらかじめ制限することで、ループが発生した場合においてもその影響を軽減する事が考えられる。しかし、ループが発生してないネットワーク上においてもブロードキャストフレームが制限されるため、ネットワークの帯域を最大限に利用することができないと言う課題がある。
【０００７】
フレームがループ状に周回することを防ぐために、送信元アドレスを受信装置側で監視し、自装置のアドレスを送信元アドレスに持つフレームを受信した際にループ発生と判断する方法が考えられる。しかし、ループの発生そのものは検知することができるが、通信ネットワーク全体の装置のうち実際にループが発生している箇所を特定することはできないと言う問題がある。
【０００８】
本発明は、これらの問題点に鑑みてなされたものであり、本発明の目的は、ループを構成する装置の特定が可能なループ検出システム、ループ検出方法、中継装置及び中継方法を提供することにある。
【課題を解決するための手段】
【０００９】
本願発明のループ検出システムは、複数の送受信ポートを有する装置を接続して構成された通信ネットワークの端に接続され、ループ検知に用いる特定のビット列を含んだループ検知用フレームを互いに送信する複数のエッジ装置と、前記通信ネットワークのうちの前記エッジ装置の間に接続され、前記ループ検知用フレームを受信し、前記ループ検知用フレームを受信した送受信ポートのポートＩＤ（ｉｄｅｎｔｉｆｉｃａｔｉｏｎ）及び前記ループ検知用フレームを送信したエッジ装置の送信エッジ装置ＩＤを識別して互いに関連付けて記録し、前記ループ検知用フレームを受信した送受信ポートとは異なる送受信ポートから前記ループ検知用フレームを送信する中継装置と、を備える。
【００１０】
１つの送信エッジ装置ＩＤに対して複数のポートＩＤが記録されている中継装置を抽出することで、ループを構成している中継装置の候補を列挙することができる。さらに抽出した中継装置のうち、複数のポートＩＤが記録されている送信エッジ装置ＩＤが複数である中継装置を抽出することで、ループが発生している中継装置を特定することができる。したがって、本願発明のループ検出システムは、ループを構成する装置を特定することができる。
【００１１】
本願発明のループ検出システムでは、前記中継装置は、記録した前記ポートＩＤ及び前記送信エッジ装置ＩＤのうちの複数の前記ポートＩＤと関連付けて記録されている前記送信エッジ装置ＩＤが複数であるか否かを判定してもよい。
本発明により、中継装置は、ループを構成する中継装置の１つか否かを判定することができる。ループを構成している中継装置の接続関係を得ることで、ループの形状を特定することができる。
【００１２】
本願発明のループ検出システムでは、前記複数であると判定した前記中継装置のうちの１つの前記中継装置が有する送受信ポートでありかつ同一の送信エッジ装置ＩＤと関連付けて記録されている前記ポートＩＤを有する送受信ポートのいずれかについて、送受信を制限してもよい。
本発明により、ループを解消することができる。
【００１３】
本願発明のループ検出方法は、複数の送受信ポートを有する装置を接続して構成された通信ネットワークの端に接続された複数のエッジ装置から、ループ検知に用いる特定のビット列を含んだループ検知用フレームを前記通信ネットワークの複数のエッジ装置に向けて送信する送信手順と、前記通信ネットワークのうちの前記エッジ装置の間に接続された中継装置で前記ループ検知用フレームを受信し、前記ループ検知用フレームを受信した送受信ポートのポートＩＤ及び前記ループ検知用フレームを送信した前記エッジ装置の送信エッジ装置ＩＤを識別して互いに関連付けて前記中継装置ごとに記録し、前記ループ検知用フレームを受信した送受信ポートとは異なる送受信ポートから前記ループ検知用フレームを送信する中継手順と、を順に有する。
【００１４】
１つの送信エッジ装置ＩＤに対して複数のポートＩＤが記録されている中継装置を抽出することで、ループを構成している中継装置の候補を列挙することができる。さらに抽出した中継装置のうち、複数のポートＩＤが記録されている送信エッジ装置ＩＤが複数である中継装置を抽出することで、ループが発生している中継装置を特定することができる。したがって、本願発明のループ検出方法は、ループを構成する装置を特定することができる。
【００１５】
本願発明のループ検出方法では、前記中継手順で記録した前記ポートＩＤ及び前記送信エッジ装置ＩＤのうちの複数の前記ポートＩＤと関連付けて記録されている前記送信エッジ装置ＩＤが複数であった前記中継装置を特定する特定手順を、前記中継手順の後にさらに有してもよい。
本発明により、ループを構成する中継装置を特定することができる。ループを構成している中継装置の接続関係を得ることで、ループの形状を特定することができる。
【００１６】
本願発明のループ検出方法では、前記特定手順において特定した前記中継装置のうちの１つの前記中継装置が有する送受信ポートでありかつ同一の送信エッジ装置ＩＤと関連付けて記録されている前記ポートＩＤを有する送受信ポートのいずれかについて、送受信を制限するループ解消手順を、前記特定手順の後にさらに有してもよい。
本発明により、ループを解消することができる。
【００１７】
本願発明の中継装置は、ループ検知に用いる特定のビット列を含んだループ検知用フレームを受信する中継装置受信部と、前記ループ検知用フレームを受信した送受信ポートのポートＩＤ及び前記ループ検知用フレームを送信したエッジ装置の送信エッジ装置ＩＤを識別して互いに関連付けて記録する記録部と、前記中継装置受信部の受信する前記ループ検知用フレームを、前記ループ検知用フレームを受信した送受信ポートとは異なる送受信ポートから送信する中継装置送信部と、を備える。
【００１８】
中継装置が中継装置受信部、記録部及び中継装置送信部を備えることで、通信ネットワークの各中継装置は、ループを構成する中継装置の１つか否かを判定することができる。本発明に係る中継装置を用いて通信ネットワークを構成することで、ループを構成する装置を特定することができる。したがって、本願発明の中継装置は、ループを構成する装置を特定することができる。
【００１９】
本願発明の中継装置では、前記記録部に記録した前記ポートＩＤ及び前記送信エッジ装置ＩＤのうちの複数の前記ポートＩＤと関連付けて記録されている前記送信エッジ装置ＩＤが複数であるか否かを判定するループ構成装置判断部と、前記ループ構成装置判断部が前記複数であると判定した場合、ループを構成している旨を出力するループ構成情報出力部と、さらに備えていてもよい。
本発明により、中継装置は、ループを構成する中継装置の１つか否かを判定することができる。ループを構成している旨を出力した中継装置の接続関係を得ることで、ループの形状を特定することができる。
【００２０】
本願発明の中継装置では、前記記録部に記録した前記ポートＩＤ及び前記送信エッジ装置ＩＤのうちの複数の前記ポートＩＤと関連付けて記録されている前記送信エッジ装置ＩＤと関連付けて記録されている前記ポートＩＤを有する送受信ポートのいずれかについて、送受信を制限するポート制御部をさらに備えてもよい。
本発明により、ループを解消することができる。
【００２１】
本願発明の中継方法は、複数の送受信ポートを有する装置を接続して構成された通信ネットワークの端に接続された複数のエッジ装置から、ループ検知に用いる特定のビット列を含んだループ検知用フレームを受信するループ検知用フレーム受信手順と、前記ループ検知用フレームを受信した送受信ポートのポートＩＤ及び前記ループ検知用フレームを送信したエッジ装置の送信エッジ装置ＩＤを識別して互いに関連付けて記録するとともに、受信した前記ループ検知用フレームを、前記ループ検知用フレームを受信した送受信ポートとは異なる送受信ポートから送信するループ検知用フレーム転送手順と、を順に有する。
【００２２】
ループ検知用フレーム受信手順及びループ検知用フレーム転送手順を有することで、中継装置は、ループを構成する中継装置の１つか否かを判定することができる。通信ネットワークの中継装置が本発明に係る中継方法を実行することで、ループを構成する装置を特定することができる。したがって、本願発明の中継方法は、ループを構成する装置を特定することができる。
【００２３】
本願発明の中継方法では、前記ループ検知用フレーム転送手順で記録した前記ポートＩＤ及び前記送信エッジ装置ＩＤのうちの複数の前記ポートＩＤと関連付けて記録されている前記送信エッジ装置ＩＤが複数であるか否かを判定し、前記送信エッジ装置ＩＤが複数であると判定した場合、ループを構成している旨を出力するループ構成情報出力手順を、前記ループ検知用フレーム転送手順の後にさらに有してもよい。
本発明により、中継装置は、ループを構成する中継装置の１つか否かを判定することができる。ループを構成している旨を出力した中継装置の接続関係を得ることで、ループの形状を特定することができる。
【００２４】
本願発明の中継方法では、前記ループ検知用フレーム転送手順において記録した前記ポートＩＤ及び前記送信エッジ装置ＩＤのうちの複数の前記ポートＩＤと関連付けて記録されている前記送信エッジ装置ＩＤと関連付けて記録されている前記ポートＩＤを有する送受信ポートのいずれかについて、送受信を制限するループ解消手順を、前記ループ構成情報出力手順の後にさらに有してもよい。
本発明により、ループを解消することができる。
【００２５】
なお、上記各発明は、可能な限り組み合わせることができる。
【発明の効果】
【００２６】
本発明によれば、ループを構成する装置の特定が可能なループ検出システム、ループ検出方法、中継装置及び中継方法を提供することができる。
【図面の簡単な説明】
【００２７】
【図１】実施形態１に係るループ検出システムの一例を示す。
【図２】実施形態１に係るループ検出方法の一例を示すフローチャートである。
【図３】ループ検出原理の説明図であり、（ａ）はエッジ装置１０２１からループ検知用フレームを送信した場合のループ検知用フレームの経路を示し、（ｂ）はエッジ装置１０２１からループ検知用フレームを送信した場合にループ検知用フレームを受信する送受信ポートを示し、（ｃ）はエッジ装置１０２２からループ検知用フレームを送信した場合のループ検知用フレームの経路及びループ検知用フレームを受信する送受信ポートを示し、（ｄ）はループを形成している中継装置を示す。
【図４】エッジ装置の具体例を示す。
【図５】中継装置の具体例を示す。
【図６】実施形態１に係る中継方法の一例を示すフローチャートである。
【図７】中継装置のより具体的な構成を示す。
【図８】実施形態２に係る中継方法の一例を示すフローチャートである。
【図９】ループが生じていない場合のループ情報記録テーブルの一例を示す。
【図１０】ループが生じている場合のループ情報記録テーブルの一例を示す。
【図１１】実施形態３に係るループ検出システムの一例を示す構成図である。
【図１２】実施形態４に係るループ検出システムの一例を示す構成図である。
【図１３】実施形態５に係るＬ２ネットワークの構成を示す図である。
【図１４】実施形態６に係るＬ２ネットワークの構成を示す図である。
【図１５】実施形態６においてループが生じている場合のループ情報記録テーブルの一例を示す。
【図１６】実施形態７に係るループ検出方法の一例を示すフローチャートである。
【図１７】実施形態７に係るループ情報記録テーブルの一例である。
【発明を実施するための形態】
【００２８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２９】
（実施形態１）
図１に、実施形態１に係るループ検出システムの一例を示す。実施形態１に係るループ検出システムは、複数のエッジ装置１０２１，１０２２と、複数の中継装置１０３１，１０３２，１０３３，１０３４，１０３５，１０３６と、を備える。複数のエッジ装置１０２１，１０２２及び複数の中継装置１０３１，１０３２，１０３３，１０３４，１０３５，１０３６は、複数の送受信ポートを有し、Ｌ２ネットワーク１０１を構成する。中継装置１０３２〜１０３５がループ状に接続されている。
【００３０】
実施形態１に係るループ検出システムは、実施形態１に係るループ検出方法を実行する。図２は、実施形態１に係るループ検出方法の一例を示すフローチャートである。実施形態１に係るループ検出方法は、送信手順Ｓ１０１と、中継手順Ｓ１０２と、特定手順Ｓ１０３と、ループ解消手順Ｓ１０４と、を順に有する。
【００３１】
送信手順Ｓ１０１では、複数のエッジ装置１０２１，１０２２が、ループ検知用フレームを複数のエッジ装置１０２１，１０２２に向けて送信する。ここで、ループ検知用フレームは、ループ検知に用いる特定のビット列を含んだフレームである。特定のビット列は、例えば、フレームのデータ領域に含まれる。また、ループ検知用フレームには、フレームを送信するエッジ装置１０２１，１０２２のＩＤが含まれる。
【００３２】
中継手順Ｓ１０２では、中継装置１０３１，１０３２，１０３３，１０３４，１０３５，１０３６が、ループ検知用フレームを受信する。このとき、ループ検知用フレームを受信した送受信ポートのポートＩＤを取得する。そして、中継装置１０３１，１０３２，１０３３，１０３４，１０３５，１０３６が、取得したポートＩＤ及び送信エッジ装置ＩＤを識別して互いに関連付けて記録する。ここで、送信エッジ装置ＩＤは、ループ検知用フレームを送信したエッジ装置１０２１，１０２２の識別情報であり、ループ検知用フレームから取得することができる。
【００３３】
また、中継手順Ｓ１０２では、中継装置１０３１，１０３２，１０３３，１０３４，１０３５，１０３６が、ループ検知用フレームを受信した送受信ポートとは異なる送受信ポートからループ検知用フレームを送信する。
【００３４】
ここで、中継装置１０３１，１０３２，１０３３，１０３４，１０３５，１０３６は、ループ検知用フレームに含まれている特定のビット列を検出して識別する。これにより、中継装置１０３１，１０３２，１０３３，１０３４，１０３５，１０３６は、種々のフレームのなかからループ検知用フレームを選択的に受信することができる。送信エッジ装置ＩＤは、例えばループ検知用フレームのヘッダの送信元アドレスである。このとき、中継装置１０３１，１０３２，１０３３，１０３４，１０３５，１０３６は、ポートＩＤ及び送信エッジ装置ＩＤを互いに関連付けて記録する。
【００３５】
特定手順Ｓ１０３では、中継装置１０３１，１０３２，１０３３，１０３４，１０３５，１０３６が、中継手順Ｓ１０２で記録したポートＩＤ及び送信エッジ装置ＩＤのうちの複数のポートＩＤと関連付けて記録されている送信エッジ装置ＩＤが複数であった中継装置１０３２，１０３３，１０３４，１０３５を特定する。これにより、抽出したループ検知用フレームの送信エッジ装置ＩＤが複数であった中継装置１０３２，１０３３，１０３４，１０３５を特定することができる。
【００３６】
ループ解消手順Ｓ１０４では、特定手順Ｓ１０３において特定した中継装置１０３２，１０３３，１０３４，１０３５のうちの１つの中継装置が有する送受信ポートでありかつ同一の送信エッジ装置ＩＤと関連付けて記録されているポートＩＤを有する送受信ポートのいずれかについて、送受信を制限する。これにより、ループを解消することができる。
【００３７】
例えば、ループ解消手順Ｓ１０４では、ポート閉塞手順、送受信停止手順又は受信流量制限手順を実行する。ポート閉塞手順を実行する場合、ポートを閉塞することで送受信を制限する。
【００３８】
送受信停止手順を実行する場合、フレームの送受信を論理的に停止することで送受信を制限する。これにより、ループを解消することができる。ここで、フレームの送受信を論理的に停止するため、ループの発生していない論理ネットワークのフレームの送受信を継続することができる。このため、通信ネットワークの帯域を有効利用することができる。
【００３９】
送受信流量制限手順を実行する場合、フレームの送受信流量を制限することで送受信を制限する。これにより、ループの影響を軽減することができる。ここで、フレームの送受信流量を制限するため、通信を完全に遮断することがない。このため、通信を継続しつつ、ループの影響を軽減することができる。
【００４０】
ループ検出原理について図３を用いて説明する。図３は、ループ検出原理の説明図であり、（ａ）はエッジ装置１０２１からループ検知用フレームを送信した場合のループ検知用フレームの経路を示し、（ｂ）はエッジ装置１０２１からループ検知用フレームを送信した場合にループ検知用フレームを受信する送受信ポートを示し、（ｃ）はエッジ装置１０２２からループ検知用フレームを送信した場合のループ検知用フレームの経路及びループ検知用フレームを受信する送受信ポートを示し、（ｄ）はループを形成している中継装置を示す。
【００４１】
図３（ａ）の実線矢印に示すように、エッジ装置１０２１からループ検知用フレームをマルチキャストもしくはブロードキャストにて送信すると、同図の点線矢印のように、中継装置１０３１、１０３２、１０３３、１０３５、１０３６又は１０３１、１０３２、１０３４、１０３５、１０３６と経由して対向のエッジ装置１０２２に到達するフレームと、中継装置１０３１、１０３２、１０３３、１０３５、１０３４、１０３２、１０３１又は１０３１、１０３２、１０３４、１０３５、１０３３、１０３２、１０３１と経由してループ検知用フレームの送信を行ったエッジ装置１０２１に到達するフレームが存在する。
【００４２】
それぞれの場合において、ループを構成する中継装置１０３１〜１０３４を複数回経由するフレームも存在する。このとき、中継装置において、ループ検知用フレームを受信した送受信ポートを記録すると、図３（ｂ）のように網掛けした中継装置１０３１、１０３２、１０３３、１０３４、１０３５が複数の送受信ポートからループ検知用フレームを受信しており、これらの中継装置がループを形成する装置の候補となる。
【００４３】
さらに、対向のエッジ装置１０２２からも同様にループ検知用フレームを送信すると、複数ポートでループ検知用フレームを受信した装置が図３（ｃ）に示すように、中継装置１０３２、１０３３、１０３４、１０３５、１０３６となる。図３（ｂ）で網がけした中継装置と図３（ｃ）で網がけした中継装置を記録上で比較することで、図３（ｄ）のように、両方の場合に複数のポートからループ検知用フレームを受信した装置がループを形成する装置と言うことが判明する。
【００４４】
エッジ装置１０２１，１０２２がループを構成する装置の一部であった場合は、エッジ装置１０２１，１０２２が中継装置１０３１，１０３２，１０３３，１０３４，１０３５，１０３６の機能を兼ねることにより、ループの形状を判別することが可能である。
【００４５】
以上、実施形態１に係るループ検出システムを用い、実施形態１に係るループ検出方法を実行することで、ループを検知する機能を持たないエッジ装置や中継装置と、ハードウェア上の構成を変更することなく、経済的にループを形成する装置がいずれの装置であるか判明させることができる。したがって、ループが発生していないＬ２ネットワークではネットワークの帯域を最大限に利用し、ループが発生した場合にはループを構成する装置を厳密に特定することができる。
【００４６】
図４に、エッジ装置の具体例を示す。エッジ装置３０１は、送受信ポート３０２と、ループ検知用フレーム生成部３０３と、ループ検知用フレーム送信部３０４と、フレーム送受信部３０５を備える。送受信ポート３０２は、中継装置の送受信ポートに接続されている。ループ検知用フレーム生成部３０３は、ループ検知用フレームを生成する。ループ検知用フレーム送信部３０４は、ループ検知用フレーム生成部３０３の生成するループ検知用フレームを送信する。フレーム送受信部３０５は、ループ検知用フレーム以外のフレームを送受信する。
【００４７】
エッジ装置３０１は、ループ検知用ではない一般のフレーム送受信はフレーム送受信部３０５を経由して送受信ポート３０２より送受信されるが、ループ検知用フレームはループ検知用フレーム送信部３０４により送信される構成である。このとき、ループ検知用フレームは、当該エッジ装置３０１から送信されたものであることを示す情報をループ検知用フレーム内部に記載する機能を持つものである。
【００４８】
上記に記載のエッジ装置３０１は、単数の送受信ポートを持つ例を示しているが、複数の送受信ポート３０２を持つ構成でもかまわない。また、複数の送受信ポート３０２のうち、ループ検知用フレーム生成部３０３、ループ検知用フレーム送信部３０４が機能的に備わっていないポートが存在してもかまわない。
【００４９】
図５に、中継装置の具体例を示す。中継装置３０は、中継装置受信部３１と、中継装置送信部３２と、記録部３３と、ループ構成装置判断部３４と、ループ構成情報出力部３５と、送受信ポート３６と、送受信ポート３７と、を備える。
【００５０】
中継装置３０は、実施形態１に係る中継方法を実行する。図６は、実施形態１に係る中継方法の一例を示すフローチャートである。実施形態１に係る中継方法は、ループ検知用フレーム受信手順Ｓ１３１と、ループ検知用フレーム転送手順Ｓ１３２と、ループ構成情報出力手順Ｓ１３３と、ループ解消手順Ｓ１３４と、を順に有する。
【００５１】
ループ検知用フレーム受信手順Ｓ１３１では、中継装置受信部３１が、ループ検知用フレームを受信する。
【００５２】
ループ検知用フレーム転送手順Ｓ１３２では、記録部３３が、ループ検知用フレームを受信した送受信ポート３６のポートＩＤ及びループ検知用フレームを送信したエッジ装置１０２１，１０２２の送信エッジ装置ＩＤを識別して互いに関連付けて記録する。そして、中継装置送信部３２が、中継装置受信部３１の受信するループ検知用フレームを、送受信ポート３６とは異なる送受信ポート３７から送信する。
【００５３】
ループ構成情報出力手順Ｓ１３３では、ループ構成装置判断部３４が、記録部３３に記録したポートＩＤ及び送信エッジ装置ＩＤのうちの複数のポートＩＤと関連付けて記録されている送信エッジ装置ＩＤが複数であるか否かを判定する。そして、ループ構成情報出力部３５が、ループ構成装置判断部３４において抽出した送信エッジ装置ＩＤが複数であると判定した場合、ループを構成している旨を示すループ構成情報を出力する。
【００５４】
ループ解消手順Ｓ１３４では、記録部３３に記録したポートＩＤ及び送信エッジ装置ＩＤのうちの複数のポートＩＤと関連付けて記録されている送信エッジ装置ＩＤと関連付けて記録されているポートＩＤを有する送受信ポート３６のいずれかについて、送受信を制限する。これにより、ループを解消することができる。
【００５５】
例えば、ループ解消手順Ｓ１３４では、ポート閉塞手順、送受信停止手順又は送受信流量制限手順を実行する。ポート制御部３８が、ポートを制御する旨のポート制御情報を取得する。取得先は、他の中継装置であってもよいし、Ｌ２ネットワーク１０１を管理する制御装置であってもよい。ポート制御部３８は、ポート閉塞部、送受信停止部又は送受信量制限部として機能する。ポート制御部３８がポート閉塞部として機能する場合、ポート制御部３８が、ポート閉塞手順を実行する。この場合、ポート制御部３８は、ポートを閉塞することで送受信を制限する。
【００５６】
なお、ポート制御部３８が送受信停止部として機能する場合、ポート制御部３８は送受信停止手順を実行する。この場合、ポート制御部３８はフレームの送受信を論理的に停止することで送受信を制限する。これにより、ループを解消することができる。
【００５７】
ポート制御部３８が送受信量制限部として機能する場合、ポート制御部３８は送受信流量制限手順を実行する。この場合、ポート制御部３８はフレームの送受信流量を制限することで送受信を制限する。これにより、ループの影響を軽減することができる。
【００５８】
本発明は、Ｌ２ネットワーク１０１において、２つ以上のエッジ装置１０２１，１０２２からループ検知用フレームを送信し、中継装置１０３１，１０３２，１０３３，１０３４，１０３５，１０３６においてループ検知フレームを受信したポートを記録した後、Ｌ２ネットワーク１０１内において複数のエッジ装置１０２１，１０２２からのループ検知用フレームを複数のポートで受信した中継装置１０３２，１０３３，１０３４，１０３５を検出する。これにより、ループ障害の発生している中継装置１０３２，１０３３，１０３４，１０３５及びそのループの形状を正確に抽出することが可能となる。この機能は、ハードウェア上で特殊な実装を行う必要がないため、経済的なループ検知が可能なＬ２ネットワークを実現することができる。
【００５９】
（実施形態２）
図７に、中継装置のより具体的な構成を示す。中継装置４０１は、複数の送受信ポート４０２１〜４０２４と、それぞれの送受信ポートに接続されるフレーム送受信部４０３と、ループ検知用フレーム受信部４０４と、記録テーブル書き込み部４０５と、ループ情報記録テーブル４０６と、ループ構成装置判断部４０７と、ループ構成情報出力部４０８を備える。
【００６０】
複数の送受信ポート４０２１〜４０２４は、送受信ポート３６又は送受信ポート３７として機能する。ループ検知用フレーム受信部４０４は、中継装置受信部３１として機能する。記録テーブル書き込み部４０５及びループ情報記録テーブル４０６は、記録部３３として機能する。ループ構成装置判断部４０７は、ループ構成装置判断部３４として機能する。ループ構成情報出力部４０８は、ループ構成情報出力部３５として機能する。
【００６１】
中継装置４０１の動作について説明する。あるエッジ装置から送信されたループ検知用フレームを各送受信ポート４０２１〜４０２４で受信する。フレーム送受信部４０３にて宛先の送受信ポート向けにフレームを転送もしくは複製する。この際に、ループ検知用フレーム受信部４０４へ同時に転送し、ループ検知用フレームの送信エッジ装置ＩＤ、受信した送受信ポートのポートＩＤ及び受信時刻を抽出する。ここで、送信エッジ装置ＩＤは例えば送信エッジ装置ＩＤであり、ポートＩＤは例えばポートＩＤである。その後、記録テーブル書き込み部４０５へ当該情報を伝達し、ループ情報記録テーブル４０６に書き込みを行う。
【００６２】
ループ構成装置判断部４０７は、ループ情報記録テーブル４０６の情報を基に、あるエッジ装置から送信されたループ検知用フレームを複数の送受信ポートにて受信している状態が、複数のエッジ装置からのループ検知用フレームで発生している場合、本中継装置がループを構成していると判断する。この場合、ループ構成情報出力部４０８より当該中継装置がループを構成しているというループ構成情報を出力する。
【００６３】
上記に記載の中継装置４０１は、４つの送受信ポート４０２１、４０２２、４０２３、４０２４と、フレーム送受信部４０３と、を備える例を示しているが、この数については特に限定されるものでは無い。
【００６４】
さらに、実施形態１に係るエッジ装置の機能と中継装置の機能が単一の装置内に存在することもかまわない。図８は、実施形態２に係る中継方法の一例を示すフローチャートである。実施形態２に係る中継方法の一例では、中継装置４０１におけるループを構成する装置であるか否かを判断することを特徴とする。
【００６５】
手順Ｓ１１１は、実施形態１で説明したループ検知用フレーム受信手順Ｓ１３１において実行する。手順Ｓ１１２、手順Ｓ１１３、手順Ｓ１１４、手順Ｓ１１５及び手順Ｓ１１６は、実施形態１で説明したループ検知用フレーム転送手順Ｓ１３２において実行する。手順Ｓ１１７、手順Ｓ１１８及び手順Ｓ１１９は、実施形態１で説明したループ構成情報出力手順Ｓ１３３において実行する。
【００６６】
手順Ｓ１１１では、ループ検知用フレーム受信部４０４が、ループ検知用フレームを受信する。手順Ｓ１１２では、ループ検知用フレーム受信部４０４が、ループ検知用フレームを受信した際に、ループ検知用フレームから、そのフレームを送信した送信エッジ装置ＩＤ、受信したポートＩＤ、受信時刻を抽出する。手順Ｓ１１３では、記録テーブル書き込み部４０５が、送信エッジ装置ＩＤ、ポートＩＤ及び受信時刻を、ループ情報記録テーブル４０６に記録する。このとき、手順Ｓ１１４を実行する。
【００６７】
手順Ｓ１１４では、２つ以上の送受信ポートにてループ検知用フレームを受信したか否かを判定する。受信した場合は手順Ｓ１１５に移行し、受信しなかった場合は手順１１６に移行する。手順Ｓ１１５では、記録テーブル書き込み部４０５が、ループ情報記録テーブルの複数ポート受信フラグに「１」を書き込み、手順Ｓ１１７に移行する。手順Ｓ１１６では、記録テーブル書き込み部４０５が、ループ情報記録テーブルの複数ポート受信フラグに「０」を書き込み、手順Ｓ１１１に移行する。
【００６８】
図９に、ループが生じていない場合のループ情報記録テーブルの一例を示す。図１０に、ループが生じている場合のループ情報記録テーブルの一例を示す。例えば、ループが発生していない場合には、図９に示すように、全ての送信エッジ装置ＩＤにて複数ポート受信フラグは「０」が記録されている。しかしながら、ループが発生している場合には、図１０に示すように、いずれかの送信エッジ装置ＩＤで、複数ポート受信フラグが「１」になる個所があらわれる。
【００６９】
手順Ｓ１１７では、ループ構成装置判断部４０７が、他のエッジ装置ＩＤで複数ポート受信フラグが「１」になっているものがあるか否かを判定する。ある場合は手順Ｓ１１８に移行し、ない場合は手順Ｓ１１１に移行する。手順Ｓ１１８では、ループ構成装置判断部４０７が、ループを構成する装置であると判断する。手順Ｓ１１９では、ループ構成情報出力部４０８が、ループ構成情報を出力する。
【００７０】
例えば、図１０に示すように、複数ポート受信フラグが「１」となっている個所が複数存在する場合には、ループを構成する装置であると判断し、ループ構成情報を出力する。上記の例のようにして、ループを構成している装置であるか否かを判断することが出来る。
【００７１】
（実施形態３）
図１１は、実施形態３に係るループ検出システムの一例を示す構成図である。本実施形態に係るＬ２ネットワーク８０１は、ループ検知用フレームを送信する手段を持つエッジ装置８０２１および８０２２と、ループ検知用フレームを受信した際に受信したポートを識別し装置内にて送受信ポートを記録する機能を持つ中継装置８０３１〜８０３６を備える。
【００７２】
実施形態１の方法を用いてループの形状を正確に抽出した後、ループの影響を排除するため、ループを構成する中継装置８０３２〜８０３５のうち、任意の一つのポート８０４を閉塞することで、ループ状態を解消する。任意の一つのポートは、ループを構成する中継装置において、実施形態２において記録した送受信ポートのうち、複数のエッジ装置からのループ検知用フレームを受信したポートから選択する。選択方法は乱数を用いる、Ｌ２ネットワーク８０１の管理者が選択する、あらかじめ優先的に閉塞するポートを設定しておく等の方法が考えられる。
【００７３】
（実施形態４）
図１２は、実施形態４に係るループ検出システムの一例を示す構成図である。本実施形態に係るＬ２ネットワーク９０１は、ループ検知用フレームを送信する手段を持つエッジ装置９０２１および９０２２と、ループ検知用フレームを受信した際に受信したポートを識別し装置内にて送受信ポートを記録する機能を持つ中継装置９０３１〜９０３６を備える。
【００７４】
実施形態１の方法を用いてループの形状を正確に抽出した後、ループの影響を排除するため、ループを構成する中継装置９０３２〜９０３５のうち、任意の一つのポート９０４のフレームの送受信を停止することで、ループ状態を解消する。任意の一つのポートは、ループを構成する中継装置において、実施形態２において記録した送受信ポートのうち、複数のエッジ装置からのループ検知用フレームを受信したポートから選択する。選択方法は乱数を用いる、Ｌ２ネットワーク９０１の管理者が選択する、あらかじめ優先的に閉塞するポートを設定しておく等の方法が考えられる。
【００７５】
本方法における実施形態３との大きな違いとして、Ｌ２ネットワーク９０１を構築する際に用いられることがあるＶＬＡＮ（Ｖｉｒｔｕａｌ  Ｌｏｃａｌ  Ａｒｅａ  Ｎｅｔｗｏｒｋ）の設定がある場合、ＶＬＡＮの設定の仕方により、あるＶＬＡＮはループが発生しているがあるＶＬＡＮはループが発生していないというケースが存在する。そのときにループが発生しているＶＬＡＮのフレームの送受信のみを論理的に停止することで、ポートを閉塞する場合と異なり、ループのないＶＬＡＮのフレームの送受信は継続しつつ、ループの影響を排除することができるようになる。
【００７６】
（実施形態５）
図１３は、実施形態５に係るＬ２ネットワークの構成を示す図である。本実施形態に係るＬ２ネットワーク１００１は、ループ検知用フレームを送信する手段を持つエッジ装置１００２１および１００２２と、ループ検知用フレームを受信した際に受信したポートを識別し装置内にて送受信ポートを記録する機能を持つ中継装置１００３１〜１００３６を備える。
【００７７】
実施形態１の方法を用いてループの形状を正確に抽出した後、ループの影響を軽減するため、ループを構成する中継装置１００３２〜１００３５のうち、任意の一つのポート１００４のフレームの送受信を行う帯域を制限することで実現する。任意の一つのポートは、ループを構成する中継装置において、実施形態１において作成した送受信ポート記録のうち、複数のエッジ装置からのループ検知用フレームを受信したポートから選択する。選択方法は乱数を用いる、Ｌ２ネットワーク１００１の管理者が選択する、あらかじめ優先的に閉塞するポートを設定しておく等の方法が考えられる。
【００７８】
本実施形態では、通信を完全に遮断することがない。このため、誤検出や誤設定によるループの誤検知が発生した場合であっても、通信を完全に遮断することなく、通信を継続することが可能である。
【００７９】
（実施形態６）
図１４は、実施形態６に係るＬ２ネットワークの構成を示す図である。本実施形態に係るＬ２ネットワーク１１０１は、ループ検知用フレームを送信する手段を持つエッジ装置１１０２１〜１１０２３と、ループ検知用フレームを受信した際に受信したポートを識別し装置内にて送受信ポートを記録する機能を持つ中継装置１１０３１〜１１０３６を備える。
【００８０】
図１５は、実施形態６に係るループ情報記録テーブルの一例である。実施形態１の方法を用いて、エッジ装置１１０２１および１１０２３からループ検知用フレームを送信し、複数の送受信ポートで受信した中継装置をループを構成する中継装置であると判断した場合、中継装置１１０３１は、ループを構成していないにもかかわらずループを構成している装置であると判断されてしまう。そのため、マルチポイントにエッジ装置の存在する１１０１のようなＬ２ネットワークについては、Ｌ２ネットワークに存在する全てのエッジ装置からループ検知用フレームを送信し、全てのループ検知用フレームを複数の送受信ポートで受信した中継装置をループを構成する中継装置であると判断することで、ループ形状を正確に検出することができる。この方法により、ループ形状の検出の精度をより高めることが可能である。
【００８１】
ループ情報記録テーブルでは、図１５に示すように、全ての送信エッジ装置ＩＤにて複数ポート受信フラグが１となっている場合について、ループを構成していると判断することとなり、図１０に示すように、複数ポート受信フラグが１となっていない送信エッジ装置ＩＤがある場合には、ループを構成しているとは判断しないこととなる。
【００８２】
（実施形態７）
実施形態７に係るループ検出システムは、同一送信エッジ装置ＩＤかつ同一ポートＩＤの情報について、過去に受信した情報と、新しく受信した情報の間に、同一送信エッジ装置ＩＤかつ異なるポートＩＤの情報が記録されている場合には、複数ポート受信フラグに対して１を書き込むことを特徴とする。図１６に、実施形態７に係るループ検出方法の一例を示すフローチャートを示す。
【００８３】
手順Ｓ１１１１は、実施形態１で説明したループ検知用フレーム受信手順Ｓ１３１において実行する。手順Ｓ１１１２、手順Ｓ１１１３、手順Ｓ１１１４、手順Ｓ１１１５、手順Ｓ１１１６及び手順Ｓ１１１７は、実施形態１で説明したループ検知用フレーム転送手順Ｓ１３２において実行する。手順Ｓ１１１８、手順Ｓ１１１９及び手順Ｓ１１２０は、実施形態１で説明したループ構成情報出力手順Ｓ１３３において実行する。
【００８４】
手順Ｓ１１１１では、ループ検知用フレームを受信する。手順Ｓ１１１２では、送信エッジ装置ＩＤ、ポートＩＤ及び受信時刻を抽出する。手順Ｓ１１１３では、ループ情報記録テーブルに送信エッジ装置ＩＤ、ポートＩＤ及び受信時刻を書き込む。図１７に、実施形態７に係るループ情報記録テーブルの一例を示す。
【００８５】
手順Ｓ１１１４では、ループ情報記録テーブルを参照し、２つ以上の送受信ポートにてループ検知用フレームを受信したか否かを判定する。２つ以上の送受信ポートにてループ検知用フレームを受信した場合は手順Ｓ１１１５へ移行し、２つ以上の送受信ポートにてループ検知用フレームを受信しなかった場合は手順Ｓ１１１６へ移行する。
【００８６】
手順Ｓ１１１５では、ループ情報記録テーブルを参照し、同一送信エッジ装置ＩＤかつ同一ポートＩＤの受信時刻から今回の受信時刻の間に、同一送信エッジ装置ＩＤかつ異ポートＩＤの受信記録があるか否かを判定する。受信記録がある場合は手順Ｓ１１１７へ移行し、受信記録がない場合は手順Ｓ１１１６へ移行する。例えば、図１７に示すループ情報記録テーブルでは、送信エッジ装置ＩＤ１かつポートＩＤ４０２１の受信時刻１：００から受信時刻７：００の間に、送信エッジ装置ＩＤ１かつポートＩＤ４０２３の受信記録がある。この場合、手順Ｓ１１１７へ移行する。
【００８７】
手順Ｓ１１１６では、ループ情報記録テーブルの複数ポート受信フラグに「０」を書き込み、手順Ｓ１１１１に移行する。手順Ｓ１１１７では、ループ情報記録テーブルの複数ポート受信フラグに「１」を書き込み、手順Ｓ１１１８に移行する。
【００８８】
手順Ｓ１１１８では、他の送信エッジ装置ＩＤで複数ポート受信フラグが「１」になっているものがあるか否かを判定する。あれば手順Ｓ１１１９に移行し、なければ手順Ｓ１１１１に移行する。手順Ｓ１１１９では、ループを構成する装置であると判断する。手順Ｓ１１２０では、ループ構成情報を出力する。
【００８９】
上記の動作とすることにより、複数の送受信ポートにて同一のエッジ装置からのループ検知用フレームを交互に受信している状態に限り複数ポート受信フラグを１とするため、例えばＬ２ネットワーク１１０１上で経路切替が発生した際に、ループであると判断することが無くなる。このため、経路冗長をとっているようなケースにおいては、ループではない経路切替のケースで実施形態１から実施形態５のケースはループと判断してしまう可能性があるのに対して、そのような場合を排除することが可能となる。
【００９０】
このとき、実施形態６において説明したように、全ての送信エッジ装置ＩＤにて複数ポート受信フラグが１となっている場合にループを構成していると判断することで、ループ形状をより正確に検出する方法を合わせて使うことも可能である。
【産業上の利用可能性】
【００９１】
本発明のループ検出システムはＬ２ネットワークに適用できるため、情報通信産業に利用することができる。
【符号の説明】
【００９２】
１０１：Ｌ２ネットワーク
１０２１、１０２２、１０２３：エッジ装置
１０３１、１０３２、１０３３、１０３４、１０３５、１０３６：中継装置
３０１：エッジ装置
３０２：送受信ポート
３０３：ループ検知用フレーム生成部
３０４：ループ検知用フレーム送信部
３０５：フレーム送受信部
３０：中継装置
３１：中継装置受信部
３２：中継装置送信部
３３：記録部
３４：ループ構成情報判断部
３５：ループ構成情報出力部
３６：送受信ポート
３７：送受信ポート
３８：ポート制御部
４０１：中継装置
４０２１、４０２２、４０２３、４０２４：送受信ポート
４０３：フレーム送受信部
４０４：ループ検知用フレーム受信部
４０５：記録テーブル書き込み部
４０６：ループ情報記録テーブル
４０７：ループ構成装置判断部
４０８：ループ構成情報出力部
８０１：Ｌ２ネットワーク
８０４：送受信ポート
８０２１、８０２２：エッジ装置
８０３１、８０３２、８０３３、８０３４、８０３５、８０３６：中継装置
９０１：Ｌ２ネットワーク
９０４：送受信ポート
９０２１、９０２２：エッジ装置
９０３１、９０３２、９０３３、９０３４、９０３５、９０３６：中継装置
１００１：Ｌ２ネットワーク
１００４：送受信ポート
１００２１、１００２２：エッジ装置
１００３１、１００３２、１００３３、１００３４、１００３５、１００３６：中継装置
１１０１：Ｌ２ネットワーク
１１０２１、１１０２２、１１０２３：エッジ装置
１１０３１、１１０３２、１１０３３、１１０３４、１１０３５、１１０３６：中継装置
【図１】
2011139139.tif 000003
【図２】
2011139139.tif 000004
【図３】
2011139139.tif 000005
【図４】
2011139139.tif 000006
【図５】
2011139139.tif 000007
【図６】
2011139139.tif 000008
【図７】
2011139139.tif 000009
【図８】
2011139139.tif 000010
【図９】
2011139139.tif 000011
【図１０】
2011139139.tif 000012
【図１１】
2011139139.tif 000013
【図１２】
2011139139.tif 000014
【図１３】
2011139139.tif 000015
【図１４】
2011139139.tif 000016
【図１５】
2011139139.tif 000017
【図１６】
2011139139.tif 000018
【図１７】
2011139139.tif 000019